(57)【要約】【課題】遠隔操作可能な電気機器のスタンバイ状態時における消費電力を削減する。【解決手段】レコーダ１において、スタンバイ状態時には、電源１８から第１セクション１０に属する各構成要素への電力供給を継続的に停止し、かつ電源１８から第２セクション２０に属する各構成要素への電力供給の実行と停止とを間歇稼働パターンに従って繰り返す。【選択図】図４
2008028582.tif 000002
【特許請求の範囲】
【請求項１】
遠隔操作装置から無線方式により送信される操作信号、稼働指示信号およびスタンバイ指示信号を受信する受信手段と、
前記操作信号に従って遠隔操作される被操作部と、
電源と、
前記受信手段により前記稼働指示信号が受信されたときには、前記電源から前記被操作部および前記受信手段への電力供給を継続的に実行し、一方、前記受信手段により前記スタンバイ指示信号が受信されたときには、前記電源から前記被操作部への電力供給を継続的に停止し、かつ前記電源から前記受信手段への電力供給の実行と停止とを所定パターンに従って繰り返す電力供給制御手段とを備えていることを特徴とする電気機器。
【請求項２】
前記受信手段により前記稼働指示信号が受信されたとき、応答信号を前記遠隔操作装置に送信する送信手段を備えていることを特徴とする請求項１に記載の電気機器。
【請求項３】
前記受信手段は、
電波の前記操作信号および電波の前記スタンバイ指示信号を前記遠隔操作装置から受信する電波受信手段と、
赤外線の前記稼働指示信号を前記遠隔操作装置から受信する赤外線受信手段とを備え、
前記電力供給制御手段は、前記電波受信手段により前記スタンバイ指示信号が受信されたときには、前記電源から前記被操作部および前記電波受信手段への電力供給を継続的に停止し、かつ前記電源から前記赤外線受信手段への電力供給の実行と停止とを前記所定パターンに従って繰り返すことを特徴とする請求項１に記載の電気機器。
【請求項４】
前記受信手段は、
電波の前記操作信号を前記遠隔操作装置から受信する電波受信手段と、
赤外線の前記稼働指示信号および赤外線の前記スタンバイ指示信号を前記遠隔操作装置から受信する赤外線受信手段とを備え、
前記電力供給制御手段は、前記赤外線受信手段により前記スタンバイ指示信号が受信されたときには、前記電源から前記被操作部および前記電波受信手段への電力供給を継続的に停止し、かつ前記電源から前記赤外線受信手段への電力供給の実行と停止とを前記所定パターンに従って繰り返すことを特徴とする請求項１に記載の電気機器。
【請求項５】
電波信号および赤外線信号により被操作装置を遠隔操作する遠隔操作装置であって、
稼働状態である前記被操作装置を遠隔操作するための操作スイッチと、
前記被操作装置におけるスタンバイ状態から稼働状態への切り替えを遠隔操作するための稼働指示スイッチと、
電波信号を送信する電波送信手段と、
赤外線信号を送信する赤外線送信手段と、
前記操作スイッチが押されたときには前記電波送信手段から電波信号を送信し、前記稼働指示スイッチが押されたときには前記赤外線送信手段から赤外線信号を送信するように、前記電波送信手段および前記赤外線送信手段を選択的に制御する送信制御手段とを備えていることを特徴とする遠隔操作装置。
【請求項６】
前記赤外線信号に対する応答信号を前記被操作装置から受信する応答信号受信手段を備え、
前記赤外線送信手段は、前記稼働指示スイッチが押されてから、前記応答信号受信手段により前記応答信号が受信されるまでの間、前記赤外線信号の送信を継続することを特徴とする請求項５に記載の遠隔操作装置。
【発明の詳細な説明】
【技術分野】
【０００１】
本発明は、例えばハードディスドライブレコーダ、光ディスクレコーダ、テレビジョン、エアーコンディショナーなど、遠隔操作装置と無線通信を行う機能を備え、遠隔操作装置による遠隔操作が可能な電気機器、およびこのような電気機器を遠隔操作するための遠隔操作装置に関する。
【背景技術】
【０００２】
ハードディスクドライブレコーダ、光ディスクレコーダ、テレビジョン、エアーコンディショナーなどの電気機器を利用するとき、ユーザは、このような電気機器から離れた場所にいることが多い。このため、このような電気機器の利用には遠隔操作装置（以下、これを「リモコン」という。）が用いられることが多い。ユーザは、リモコンを用いることにより、電気機器から離れた場所にいながら電気機器を遠隔操作することができる。
【０００３】
リモコンによる電気機器の遠隔操作は、リモコンと電気機器との間で無線方式による通信を行うことにより実現される。通信方式には赤外線通信方式と電波通信方式がある。赤外線通信方式は、赤外線を用いてリモコンから電気機器へ一方向通信を行う方式である。電波通信方式は、電波を用いてリモコンと電気機器との間で双方向通信を行う方式である。赤外線通信方式を採用したリモコンおよび電気機器は現在広く普及している。電波通信方式を採用したリモコンおよび電気機器も普及が拡大している。
【０００４】
さらに、電波通信方式と赤外線通信方式との双方を採用したリモコンおよび電気機器も存在する。実開平7-1676号公報および特開平4-132396号公報には、電波通信方式と赤外線通信方式との双方を採用したリモコンに関する技術が記載されている。
【０００５】
リモコンと電気機器との間の通信に電波通信方式と赤外線通信方式との双方を採用することにより、電波通信方式によるメリットと、赤外線通信方式によるメリットとを享受することができる。電波通信方式によるメリットは、例えば、障害物があっても通信を確立できること、指向性の広い通信を実現できること、通信スピードを上げることができること、双方向通信を容易に実現できることなどである。一方、赤外線通信方式のメリットは、例えば、広く普及している赤外線通信方式を採用した電気機器やリモコンとの互換性を確保できることなどである。
【０００６】
他方、上述したような電気機器には、電源供給の状態に関し、通常稼働状態、スタンバイ状態および電源オフ状態がある。
【０００７】
通常稼働状態とは、電気機器の全部の構成要素に対し電力供給が行われる状態である。例えばハードディスクドライブレコーダによりテレビ番組の録画や再生が実行されているとき、このハードディスクドライブレコーダは通常稼働状態である。
【０００８】
スタンバイ状態とは、電気機器の一部の構成要素に対し電力供給が行われる状態である。例えばハードディスクドライブレコーダにおいて、リモコンからの信号を受信するための受信回路、および予約された録画開始時刻を監視するためのタイマーなど一部の構成要素だけに対して電力供給を行い、その一方で、ＣＰＵの大部分、映像・音声用のエンコーダ、映像・音声用のデコーダ、内蔵ハードディスクドライブなどに対する電力供給を停止しているとき、このハードディスクドライブレコーダはスタンバイ状態である。
【０００９】
スタンバイ状態では、電気機器の構成要素の大部分に対する電力供給が停止しているので、電気機器による消費電力を削減することができる。その一方で、スタンバイ状態であっても、受信回路などの一部の構成要素に対する電力供給は継続しているので、例えば、ユーザは、リモコンによる電気機器の電源オン（正確にはスタンバイ状態から通常稼働状態への切り替え）を行うことができる。
【００１０】
一方、電源オフ状態とは、電気機器の全部の構成要素に対し電力供給が停止している状態である。
【００１１】
【特許文献１】実開平7-1676号公報
【特許文献２】特開平4-132396号公報
【発明の開示】
【発明が解決しようとする課題】
【００１２】
上述したような電気機器において、スタンバイ状態時における消費電力は小さい方が望ましい。
【００１３】
一方、ユーザにとっての電気機器の操作性の向上を図るために、スタンバイ状態から通常稼働状態への切り替えをユーザがリモコンを用いて行うことができるように電気機器を設計することが望ましい。
【００１４】
従来の電気機器では、スタンバイ状態から通常稼働状態への切り替えをユーザがリモコンを用いて行うことができるように、リモコンからの信号を受信する受信回路などに対する電力供給を、スタンバイ状態の期間中継続する。
【００１５】
このような従来の電気機器では、ユーザにとっての電気機器の操作性の向上を図ることは可能であるが、スタンバイ状態時における消費電力が大きくなってしまう。
【００１６】
また、リモコンと電気機器との間の通信方式として電波通信方式と赤外線通信方式との双方を採用した従来の電気機器では、スタンバイ状態時において、赤外線受信回路と電波受信回路との双方に対し電力供給を行う。このため、スタンバイ状態時における消費電力が大きくなってしまう。
【００１７】
本発明は上記に例示したような問題点に鑑みなされたものであり、本発明の第１の課題は、スタンバイ状態時における消費電力を削減することができる電気機器および遠隔操作装置を提供することにある。
【００１８】
本発明の第２の課題は、リモコンと電気機器との間の通信方式として電波通信方式と赤外線通信方式との双方を採用している場合において、スタンバイ状態時における消費電力を削減することができる電気機器および遠隔操作装置を提供することにある。
【課題を解決するための手段】
【００１９】
上記課題を解決するために請求項１に記載の電気機器は、遠隔操作装置から無線方式により送信される操作信号、稼働指示信号およびスタンバイ指示信号を受信する受信手段と、前記操作信号に従って遠隔操作される被操作部と、電源と、前記受信手段により前記稼働指示信号が受信されたときには、前記電源から前記被操作部および前記受信手段への電力供給を継続的に実行し、一方、前記受信手段により前記スタンバイ指示信号が受信されたときには、前記電源から前記被操作部への電力供給を継続的に停止し、かつ前記電源から前記受信手段への電力供給の実行と停止とを所定パターンに従って繰り返す電力供給制御手段とを備えている。
【００２０】
なお、請求項１に記載の電気機器においては、操作信号、稼働指示信号およびスタンバイ指示信号はそれぞれ、電波信号でも赤外線信号でもよい。
【００２１】
上記課題を解決するために請求項５に記載の遠隔操作装置は、電波信号および赤外線信号により被操作装置を遠隔操作する遠隔操作装置であって、稼働状態である前記被操作装置を遠隔操作するための操作スイッチと、前記被操作装置におけるスタンバイ状態から稼働状態への切り替えを遠隔操作するための稼働指示スイッチと、電波信号を送信する電波送信手段と、赤外線信号を送信する赤外線送信手段と、前記操作スイッチが押されたときには前記電波送信手段から電波信号を送信し、前記稼働指示スイッチが押されたときには前記赤外線送信手段から赤外線信号を送信するように、前記電波送信手段および前記赤外線送信手段を選択的に制御する送信制御手段とを備えている。
【発明を実施するための最良の形態】
【００２２】
以下、本発明の実施の形態について図面を参照しながら説明する。
【００２３】
図１はレコーダとリモコンを示している。図２は図１中のリモコン２の操作パネルを示している。
【００２４】
図１中のレコーダ１は本発明の電気機器の実施形態である。リモコン２は本発明の遠隔操作装置の実施形態である。レコーダ１およびリモコン２により遠隔操作システムが構成される。
【００２５】
レコーダ１は例えばハードディスクドライブレコーダである。レコーダ１は、例えばテレビ放送局からテレビ番組のコンテンツデータを受信し、このコンテンツデータをハードディスクに記録するといった、レコーダとしての通常の機能を有する。
【００２６】
また、レコーダ１は、リモコン２により遠隔操作される被操作装置である。レコーダ１は、リモコン２によるレコーダ１の遠隔操作を行うために、リモコン２との間で無線方式による通信を行う機能を有する。レコーダ１は、リモコン２との間の通信の方式として、電波通信方式および赤外線通信方式を採用している。電波通信方式による通信は、リモコン２とレコーダ１との間の双方向通信である。赤外線通信方式による通信は、リモコン２からレコーダ１への一方向通信である。
【００２７】
また、レコーダ１は、レコーダ１における電源１８（図４参照）から各構成要素に対する電力供給について、３つの状態を切り替える機能を有する。３つの状態とは、通常稼働状態、スタンバイ状態および電源オフ状態である。
【００２８】
通常稼働状態とは、レコーダ１の全部の構成要素に対し電力供給が行われる状態である。スタンバイ状態とは、レコーダ１の一部の構成要素に対し電力供給が行われる状態である。電源オフ状態とは、レコーダ１の全部の構成要素に対する電力供給が停止している状態である。
【００２９】
後述するように、レコーダ１の構成要素は第１セクション１０と第２セクション２０に分かれている（図４参照）。通常稼働状態時においては、レコーダ１の第１セクション１０および第２セクション２０の双方に対し電力供給が行われる。スタンバイ状態時においては、レコーダ１の第１セクション１０に対する電力供給が停止し、第２セクション２０に対し電力供給が行われる。電源オフ状態時においては、レコーダ１の第１セクション１０および第２セクション２０の双方に対する電力供給が停止する。
【００３０】
ユーザは、レコーダ１に設けられたスイッチを用い、これら３つの状態の切り替えを行うことができる。さらに、ユーザは、通常稼働状態からスタンバイ状態への切り替えおよびスタンバイ状態から通常稼働状態への切り替えを、リモコン２を用いた遠隔操作により行うことができる。
【００３１】
また、レコーダ１は、スタンバイ状態時において赤外線受信部１３（および受信判断部１４）を間歇的に稼働する機能を有する。以下、この機能を「間歇稼働機能」という。間歇稼働機能の詳細については後述する。
【００３２】
一方、リモコン２は、レコーダ１を遠隔操作するための装置である。リモコン２は、レコーダ１を遠隔操作するためにレコーダ１と無線方式により通信を行う。リモコン２は、レコーダ１との間において電波通信方式と赤外線通信方式の双方を用いて通信を行う。
【００３３】
図２に示すように、リモコン２の操作パネルには、状態切り替えスイッチ５および複数の操作スイッチ６が設けられている。状態切り替えスイッチ５および操作スイッチ６は例えば押しボタン式のスイッチである。
【００３４】
状態切り替えスイッチ５は、レコーダ１におけるスタンバイ状態から通常稼働状態への切り替え、および通常稼働状態からスタンバイ状態への切り替えを行うためのスイッチである。すなわち、状態切り替えスイッチ５は一般に「電源キー」と呼ばれるスイッチである。
【００３５】
状態切り替えスイッチ５には、稼働指示信号およびスタンバイ指示信号が割り当てられている。稼働指示信号は、レコーダ１をスタンバイ状態から通常稼働状態へ切り替えるための信号である。スタンバイ指示信号は、レコーダ１を通常稼働状態からスタンバイ状態へ切り替えるための信号である。
【００３６】
状態切り替えスイッチ５が押されたとき、リモコン２は、稼働指示信号およびスタンバイ指示信号のうちのいずれか一方を送信する。リモコン２は、状態切り替えスイッチ５が１回押されるごとに、送信する信号を切り替える。すなわち、ユーザが状態切り替えスイッチ５を１回押したとき、リモコン２は稼働指示信号を送信する。この後、ユーザが状態切り替えスイッチ５をもう１回押したとき、リモコン２はスタンバイ指示信号を送信する。この後、ユーザが状態切り替えスイッチ５をさらにもう１回押したとき、リモコン２は稼働指示信号を送信する。
【００３７】
ユーザは、状態切り替えスイッチ５を１回押すことにより、レコーダ１をスタンバイ状態から稼働状態への切り替えることができる。その後、ユーザは、状態切り替えスイッチ５をもう１回押すことにより、レコーダ１を稼働状態からスタンバイ状態への切り替えることができる。
【００３８】
稼働指示信号は赤外線信号である。すなわち、リモコン２は、稼働指示信号を送信するときには、リモコン２の赤外線送信部５３（図８参照）を稼働させ、稼働指示信号が重畳された赤外線信号を出力する。
【００３９】
一方、スタンバイ指示信号は電波信号である。すなわち、リモコン２は、スタンバイ指示信号を送信するときには、リモコン２の電波送信部５１を稼働させ、スタンバイ指示信号が重畳された電波信号を出力する。
【００４０】
他方、操作スイッチ６は、通常稼働状態時におけるレコーダ１を遠隔操作するためのスイッチである。これら操作スイッチ６には、通常稼働状態時におけるレコーダ１を遠隔操作するための種々の操作信号が割り当てられている。ユーザは、これら操作スイッチ６のいずれかを押すことにより、レコーダ１におけるメニュー表示、項目の選択、コンテンツデータの記録開始、コンテンツデータの記録停止、コンテンツデータの再生開始、コンテンツデータの再生停止、コンテンツデータの早送りおよび受信チャンネルの選択などを遠隔操作することができる。
【００４１】
各操作スイッチ６に割り当てられた操作信号はすべて電波信号である。すなわち、リモコン２は、各操作スイッチ６に割り当てられた操作信号を送信するときには、リモコン２の電波送信部５１を稼働させ、各操作スイッチ６に割り当てられた操作信号が重畳された電波信号を出力する。
【００４２】
図３は、間歇稼働パターン、稼働指示信号および応答信号を示している。これより、図３を用い、レコーダ１のスタンバイ状態時における間歇駆動機能について説明する。
【００４３】
レコーダ１の構成要素は第１セクション１０および第２セクション２０に分かれている。通常稼働状態時においては、第１セクション１０および第２セクション２０の双方に対し電力供給が行われる。通常稼働状態時においては、第１セクション１０に対する電力供給も、第２セクション２０に対する電力供給もいずれも継続的に行われる。
【００４４】
一方、電源オフ状態時においては、第１セクション１０および第２セクション２０の双方に対し電力供給が停止する。電源オフ状態時においては、第１セクション１０に対する電力供給も、第２セクション２０に対する電力供給もいずれも継続的に停止する。
【００４５】
他方、スタンバイ状態時においては、レコーダ１の第１セクション１０に対する電力供給が停止し、第２セクション２０に対し電力供給が行われる。スタンバイ状態時における第１セクション１０に対する電力供給の停止は継続的である。一方、スタンバイ状態時における第２セクション２０への電源供給の実行は間歇的である。具体的には、スタンバイ状態時における電源１８から第２セクション２０への電力供給は、その停止と実行とが間歇稼働パターンに従って繰り返される。
【００４６】
例えば図３に示すように、間歇稼働パターンの１周期は、およそ３秒間の停止期間Ｐ１と、これに続く数ミリ秒ないし数十ミリ秒の稼働期間Ｐ２とにより構成されている。
【００４７】
第２セクション２０には赤外線受信部１３が含まれている。したがって、スタンバイ状態時には赤外線受信部１３に対する電力供給が間歇稼働パターンに従って間歇的に行われる。これにより、赤外線受信部１３は間歇的に稼働する。
【００４８】
さて、レコーダ１をスタンバイ状態から通常稼働状態へ切り替えるとき、ユーザはリモコン２の状態切り替えスイッチ５を押す。これにより、リモコン２は稼働指示信号を送信する。稼働指示信号は赤外線信号である。
【００４９】
リモコン２から送信された稼働指示信号は、レコーダ１の赤外線受信部１３により受信される。レコーダ１の赤外線受信部１３は間歇的に稼働している。したがって、稼働指示信号が赤外線受信部１３により受信されるのは、赤外線受信部１３が稼働しているときに限られる。すなわち、稼働指示信号が赤外線受信部１３により受信されるのは、赤外線受信部１３に対する電力供給が実行されているとき、つまり図３中の稼働期間Ｐ２中に限られる。
【００５０】
リモコン２は、レコーダ１から応答信号を受け取るまで、稼働指示信号の送信を継続する。すなわち、ユーザが状態切り替えスイッチ５から指を離しても、レコーダ１から応答信号を受け取るまで、リモコン２は稼働指示信号を出し続ける。
【００５１】
図３に示すように、リモコン２による稼働指示信号の送信が間歇稼働パターンの停止期間Ｐ１中に開始されたときには、当該送信開始後、稼働期間Ｐ２がはじめて到来したときに、稼働指示信号がレコーダ１の赤外線受信部１３により受信される。
【００５２】
稼働指示信号がレコーダ１の赤外線受信部１３により受信された直後、レコーダ１は、電波送信部１２から応答信号を送信する。そして、応答信号はリモコン２の電波受信部５２により受信される。応答信号が受信されたとき、リモコン２は図３に示すように稼働指示信号の送信を停止する。
【００５３】
なお、リモコン２が稼働指示信号の送信を開始してから所定の送信継続時間を経過しても応答信号が受信されないときには、リモコン２は稼働指示信号の送信を停止する。送信継続時間は間歇稼働パターンの周期よりも長く設定する。
【００５４】
図４は、レコーダ１の内部構造を示している。
【００５５】
図４に示すように、レコーダ１は、電波受信部１１、電波送信部１２、赤外線受信部１３、受信判断部１４、主機能制御部１５、総合制御部１６、電力供給制御部１７および電源１８を備えている。これら構成要素１１ないし１７はバス２１を介して相互に接続されている。
【００５６】
また、電波受信部１１、電波送信部１２、主機能制御部１５および総合制御部１６は、第１電源供給ライン２２を介して電力供給制御部１７に接続されている。赤外線受信部１３および受信判断部１４は第２電源供給ライン２３を介して電力供給制御部１７に接続されている。電力供給制御部１７は電源１８に接続されている。
【００５７】
また、レコーダ１の構成要素１１ないし１６のうち、電波受信部１１、電波送信部１２、主機能制御部１５および総合制御部１６は第１セクション１０に属する。一方、赤外線受信部１３および受信判断部１４は第２セクション２０に属する。
【００５８】
電波受信部１１は、リモコン２から送信された電波信号、すなわち操作信号およびスタンバイ指示信号を受信する。電波受信部１１は例えば電波受信回路を備えている。
【００５９】
電波送信部１２は応答信号を送信する。応答信号は、リモコン２から送信された操作信号が電波受信部１１により受信されたとき、リモコン２から送信された稼働指示信号が赤外線受信部１３により受信されたとき、およびリモコン２から送信されたスタンバイ指示信号が電波受信部１１により受信されたときにそれぞれ送信される。応答信号は、操作信号、稼働指示信号またはスタンバイ指示信号を受信したことを示すアクノレッジ信号としての機能を有する。応答信号は電波信号であり、リモコン２により受信される。電波送信部１２は例えば電波送信回路を備えている。
【００６０】
赤外線受信部１３は、リモコン２から送信された赤外線信号、すなわち稼働指示信号を受信する。赤外線受信部１３は例えば赤外線受光素子などを含む赤外線受信回路を備えている。
【００６１】
受信判断部１４は、リモコン２から送信された稼働指示信号が赤外線受信部１３により受信されたか否かを判断する。稼働指示信号が赤外線受信部１３により受信されたとき、受信判断部１４は稼働通知信号を電力供給制御部１７に出力する。受信判断部１４は例えばＣＰＵ（Central Processing Unit）などにより構成されている。
【００６２】
主機能制御部１５は、リモコン２から送信される操作信号により遠隔操作される被操作部である。主機能制御部１５は、リモコン２から送信される操作信号などに従って、例えばテレビ放送局からテレビ番組のコンテンツデータを受信し、このコンテンツデータをハードディスクに記録するといった、レコーダとしての通常の機能を実行する。主機能制御部１５は、デジタルテレビチューナ、映像・音声用のエンコーダ、映像・音声用のデコーダおよびハードディスクドライブなどを備えている。
【００６３】
総合制御部１６は、レコーダ１の各構成要素１１ないし１５を制御する。総合制御部１６は例えばＣＰＵなどにより構成されている。
【００６４】
また、総合制御部１６は、リモコン２から送信されたスタンバイ指示信号が電波受信部１１により受信されたとき、スタンバイ通知信号を電力供給制御部１７に出力する。また、レコーダ１に設けられたスイッチをユーザが操作し、これによりレコーダ１の状態がスタンバイ状態に切り替えられたとき、総合制御部１６は、スタンバイ通知信号を電力供給制御部１７に出力する。また、レコーダ１に設けられたスイッチをユーザが操作し、これによりレコーダ１の状態が通常稼働状態に切り替えられたとき、総合制御部１６は、稼働通知信号を電力供給制御部１７に出力する。また、レコーダ１に設けられたスイッチをユーザが操作し、これによりレコーダ１の状態が電源オフ状態に切り替えられたとき、総合制御部１６は、電源オフ通知信号を電力供給制御部１７に出力する。
【００６５】
電力供給制御部１７は、レコーダ１の構成要素１１ないし１６に対する電力供給を制御する。電力供給制御部１７は、スイッチ１７Ａ、１７Ｂ、１７Ｃおよびタイマー１７Ｄを備えている。
【００６６】
スイッチ１７Ａは、第１電源ライン２２と電源１８との間に設けられており、第１電源ライン２２と電源１８との間の接続・切断を切り替える。スイッチ１７Ｂは、第２電源ライン２３と電源１８との間に設けられており、第２電源ライン２３と電源１８との間の接続・切断を切り替える。スイッチ１７Ｃは、スイッチ１７Ａおよびスイッチ１７Ｂと電源１８との間に設けられており、第１電源ライン２２および第２電源ライン２３と電源１８との間の接続・切断を同時に切り替える。また、スイッチ１７Ｃは電力供給制御部１７と電源１８との間の接続・切断をも切り替える。タイマー１７Ｄは、スイッチ１７Ｂを簡潔稼働パターンに従って周期的に開閉するための時間計測を行う。
【００６７】
電力供給制御部１７は、例えばＩＣ（Integrated Circuit）により構成されている。
【００６８】
図５および図６は電力供給制御部１７の動作を示している。
【００６９】
レコーダ１に設けられたスイッチをユーザが操作し、レコーダ１の状態を電源オフ状態から通常稼働状態に切り替える旨の指示を入力したとする。これに応じ、電源供給制御部１７は、レコーダ１の状態を通常稼働状態に切り替える。
【００７０】
すなわち、電力供給制御部１７は、スイッチ１７Ａ、１７Ｂ、１７Ｃのすべてを閉じ、第１電源ライン２２と電源１８との間、および第２電源ライン２３と電源１８との間をそれぞれ接続する。これにより、第１セクション１０および第２セクション２０への電力供給が開始され、レコーダ１は通常稼働状態となる（図５中のステップＳ１）。そして、第１セクション１０および第２セクション２０への電力供給は、レコーダ１の状態がスタンバイ状態または電源オフ状態に切り替わるまで継続する。
【００７１】
続いて、電力供給制御部１７は、通知信号を受け取ったか否かを判断する（ステップＳ２）。
【００７２】
総合制御部１６から出力された電源オフ通知信号を電力供給制御部１７が受け取ったとき、電力供給制御部１７は、レコーダ１の状態を電源オフ状態に切り替える。
【００７３】
すなわち、電力供給制御部１７は、スイッチ１７Ｃを開き、第１電源ライン２２および第２電源ライン２３と電源１８との間を切断する。これにより、第１セクション１０および第２セクション２０への電力供給が継続的に停止する。さらに電力供給制御部１７に対する電力供給も停止する（ステップＳ３）。
【００７４】
一方、ステップＳ２において、総合制御部１６から出力されたスタンバイ通知信号を電力供給制御部１７が受け取ったとき、電力供給制御部１７は、レコーダ１の状態をスタンバイ状態に切り替える。
【００７５】
すなわち、電力供給制御部１７は、スイッチ１７Ａを開き、第１電源ライン２２と電源１８との間を切断する。これにより、第１セクション１０に対する電力供給が継続的に停止する（図６中のステップＳ４）。
【００７６】
続いて、電力供給制御部１７は簡潔稼働処理を開始する（ステップＳ５ないしステップＳ１０）。
【００７７】
簡潔稼働処理とは、スイッチ１７Ｂを簡潔稼働パターンに従って周期的に開閉し、これにより、第２セクション２０に対する電力供給を簡潔稼働パターンに従って間歇的に行う処理である。簡潔駆動処理により、上述した簡潔駆動機能（図３参照）が実現される。
【００７８】
簡潔稼働処理において、まず、電力供給制御部１７は、スイッチ１７Ｃを閉じた上で、スイッチ１７Ｂをいったん開く。これにより、第２セクション２０に対する電源供給が一旦停止する（ステップＳ５）。
【００７９】
続いて、電力供給制御部１７は、タイマー１７Ｄを用いて、スイッチ１７Ｂを開いてから例えばおよそ３秒間経過したかを判断する（ステップＳ６）。
【００８０】
スイッチ１７Ｂを開いてからおよそ３秒間経過したとき（ステップＳ６：ＹＥＳ）、電力供給制御部１７は、スイッチ１７Ｂを閉じる。これにより、第２セクション２０に対する電力供給が開始される（ステップＳ７）。
【００８１】
続いて、電力供給制御部１７は、稼働通知信号を受け取ったか否かを判断する（ステップＳ８）。
【００８２】
続いて、電力供給制御部１７は、タイマー１７Ｄを用いて、スイッチ１７Ｂを閉じてから例えばおよそ２０ミリ秒間経過したかを判断する（ステップＳ９）。
【００８３】
稼働通知信号を受け取らないまま、スイッチ１７Ｂを閉じてからおよそ２０ミリ秒間経過したとき（ステップＳ８：ＮＯ、ステップＳ９：ＹＥＳ）、電力供給制御部１７は、スイッチ１７Ｂを開く。これにより、第２セクション２０に対する電源供給が停止する（ステップＳ１０）。その後、処理はステップＳ６に戻る。
【００８４】
ステップＳ８において電力供給制御部１７が稼働通知信号を受け取るまで、ステップＳ６ないしステップＳ１０の処理が繰り返し実行される。これにより、第２セクション２０への電源供給は、およそ３秒の停止期間Ｐ１とおよそ２０ミリ秒の稼働期間Ｐ２とを有する簡潔稼働パターンに従って間歇的に行われる。この結果、第２セクション２０に属する赤外線受信部１３および受信判断部１４が当該簡潔稼働パターンに従って間歇的に稼働する。
【００８５】
さて、ユーザがリモコン２の状態切り替えスイッチ５を押すと、リモコン２から稼働指示信号が送信される。そして、赤外線受信部１３が稼働期間Ｐ２中にこの稼働指示信号を受け取ると、これに応じて受信判断部１４が稼働通知信号を出力する。そして、電力供給制御部１７がこの稼働通知信号を受け取ると（ステップＳ８：ＹＥＳ）、簡潔稼働処理が終了し、電力供給制御部１７における処理は図５中のステップＳ１に移行する。そして、レコーダ１の状態がスタンバイ状態から通常稼働状態に切り替わる。なお、レコーダ１の状態が通常稼働状態に切り替わった直後、電波送信部１２から応答信号が送信される。
【００８６】
図７は、レコーダ１のより具体的な実施形態であるハードディスクドライブレコーダを示している。
【００８７】
図７中のハードディスクドライブレコーダ３０において、電波受信回路３１は電波受信部１１の具体例である。電波送信回路３２は電波送信部１２の具体例である。赤外線受信回路３３は赤外線受信部１３の具体例である。主機能制御ユニット３４は主機能制御部１５の具体例である。ＣＰＵ３５は総合制御部１６の具体例である。電力供給制御ＩＣ３６は、受信判断部１４および電力供給制御部１７の具体例である。例えば、電力供給制御ＩＣ３６は、受信判断部１４、スイッチ１７Ａ、１７Ｂ、１７Ｃおよびタイマー１７Ｄが組み込まれたカスタムＩＣである。電源回路３７は電源１８の具体例である。
【００８８】
図８はリモコン２の内部構造を示している。
【００８９】
図８に示すように、リモコン２の内部には、電波送信部５１、電波受信部５２、赤外線送信部５３、送信制御部５４、スイッチ識別部５５および記憶部５６が設けられている。また、リモコン２の操作パネルには、図２に示すように、状態切り替えスイッチ５および複数の操作スイッチ６が設けられている。
【００９０】
電波送信部５１は電波のスタンバイ指示信号および電波の操作信号を送信する。具体的には、電波送信部５１は、稼働指示信号送信後に状態切り替えスイッチ５が押されたときに、スタンバイ指示信号が重畳された電波信号を送信する。また、操作スイッチ６が押されたときに、操作信号が重畳された電波信号を送信する。電波送信部５１は例えば電波送信回路を備えている。
【００９１】
電波受信部５２は、レコーダ１から送信された応答信号を受信する。電波受信部５２は例えば電波受信回路を備えている。
【００９２】
赤外線送信部５３は赤外線の稼働指示信号を送信する。具体的には、スタンバイ指示信号送信後に状態切り替えスイッチ５が押されたときに、稼働指示信号が重畳された赤外線信号を送信する。また、赤外線送信部５３は、スタンバイ指示信号送信後に状態切り替えスイッチ５が押されてから、電波受信部５２により応答信号が受信されるまでの間、稼働指示信号の送信を継続する。赤外線送信部５３は、例えば赤外線発光素子を含む赤外線送信回路などにより構成されている。
【００９３】
送信制御部５４は、ユーザにより押されたスイッチが、スタンバイ指示信号送信後の状態切り替えスイッチ５か、稼働指示信号送信後の状態切り替えスイッチ５か、操作スイッチ６かに基づいて、電波送信部５１および赤外線送信部５３を選択的に制御する。
【００９４】
具体的には、ユーザにより押されたスイッチが、スタンバイ指示信号送信後の状態切り替えスイッチ５であるときには、送信制御部５４は、制御すべき送信部として赤外線送信部５３を選択する。そして、送信制御部５４は、赤外線送信部５３を制御し、赤外線の稼働指示信号を送信する。
【００９５】
一方、ユーザにより押されたスイッチが、稼働指示信号送信後の状態切り替えスイッチ５であるときには、送信制御部５４は、制御すべき送信部として電波送信部５１を選択する。そして、送信制御部５４は、電波送信部５１を制御し、電波のスタンバイ指示信号を送信する。
【００９６】
他方、ユーザにより押されたスイッチが、操作スイッチ６であるときには、送信制御部５４は、制御すべき送信部として電波送信部５１を選択する。そして、送信制御部５４は、電波送信部５１を制御し、電波の操作信号を送信する。
【００９７】
送信制御部４５は例えばＣＰＵなどにより構成されている。
【００９８】
スイッチ識別部５５は、状態切り替えスイッチ５および操作スイッチ６のいずれかが押されたときに、当該スイッチが押されたことを示す識別信号を送信制御部５４に出力する。
【００９９】
記憶部５６は例えばＲＯＭである。記憶部５６には、例えば稼働指示信号の波形情報、スタンバイ指示信号の波形情報および各操作信号の波形情報が記憶されている。赤外線送信部５３は、稼働指示信号の波形情報を記憶部５６から読み出し、この読み出した波形情報に基づいて稼働指示信号を生成する。また、電波送信部５１は、スタンバイ指示信号または各操作信号の波形情報を記憶部５６から読み出し、この読み出した波形情報に基づいてスタンバイ指示信号または各操作信号を生成する。
【０１００】
図９は送信制御部５４の動作を示している。
【０１０１】
図９に示すように、送信制御部５４は、まず、リモコン２の操作パネルに設けられたいずれかのスイッチがユーザにより押されたか否かを判断する（ステップＳ２１）。
【０１０２】
続いて、送信制御部５４は、ユーザにより押されたスイッチがスタンバイ指示信号送信後の状態切り替えスイッチ５かを判断する（ステップＳ２２）。
【０１０３】
ユーザにより押されたスイッチがスタンバイ指示信号送信後の状態切り替えスイッチ５であるときには（ステップＳ２２：ＹＥＳ）、送信制御部５４は、赤外線送信部５３を制御し、赤外線の稼働指示信号の送信を開始する（ステップＳ２３）。
【０１０４】
続いて、送信制御部５４は、レコーダ１から送信された応答信号を受信したか否かを判断する（ステップＳ２４）。
【０１０５】
応答信号を受信したときには（ステップＳ２４：ＹＥＳ）、送信制御部５４は、稼働指示信号の送信を停止する（ステップＳ２６）。
【０１０６】
また、稼働信号の送信を開始してから、応答信号の受信がないまま所定の送信継続時間が経過したときにも（ステップＳ２４：ＮＯ、ステップＳ２５：ＹＥＳ）、送信制御部５４は、稼働指示信号の送信を停止する。その後、処理はステップＳ２１に戻る。
【０１０７】
一方、ステップＳ２２において、ユーザにより押されたスイッチがスタンバイ指示信号送信後の状態切り替えスイッチ５でないときには、送信制御部５４は、電波送信部５１を制御し、電波の操作信号またはスタンバイ指示信号を送信する（ステップＳ２７）。その後、処理はステップＳ２１に戻る。
【０１０８】
図１０は、リモコン２のより具体的な実施形態を示している。
【０１０９】
図１０に示すリモコン６０において、電波送信回路６１は電波送信部５１の具体例である。電波受信回路６２は電波受信部５２の具体例である。赤外線送信回路６３は赤外線送信部５３の具体例である。ＣＰＵ５４は送信制御部５４の具体例である。スイッチ回路６５はスイッチ識別部５５の具体例である。ＲＯＭ６６は記憶部５６の具体例である。
【０１１０】
以上説明したとおり、レコーダ１において、スタンバイ状態時には、電源１８から第１セクション１０への電力供給を継続的に停止し、かつ電源１８から第２セクション２０への電力供給の実行と停止とを間歇稼働パターンに従って繰り返す。
【０１１１】
これにより、スタンバイ状態時には、電波受信部１１、電波送信部１２、主機能制御部１５および総合制御部１６といったレコーダ１の構成要素の大部分に対する電力供給が継続的に停止する。したがって、スタンバイ状態時における消費電力を削減することができる。
【０１１２】
これに加え、スタンバイ状態時には、赤外線受信部１３および受信判断部１４に対する電力供給が間歇的に行われる。したがって、スタンバイ状態時における消費電力をより一層削減することができる。
【０１１３】
しかも、スタンバイ状態時には、赤外線受信部１３および受信判断部１４に対する電力供給が間歇的に行われることにより、ユーザはリモコン２を用いてレコーダ１の状態をスタンバイ状態から通常稼働状態に切り替えることができる。したがって、スタンバイ状態時における消費電力の削減を図りつつ、レコーダ１の操作性を維持することができる。
【０１１４】
また、ユーザにより、スタンバイ指示信号送信後の状態切り替えスイッチ５が押されたとき、リモコン２は所定の送信継続時間が経過するまで稼働指示信号を継続して送信する。これにより、レコーダ１における赤外線受信部１３の稼働が間歇的でも、レコーダ１は稼働指示信号を受信することが可能になる。
【０１１５】
そして、リモコン２から送信された稼働指示信号がレコーダ１の赤外線受信部１３により受け取られたとき、レコーダ１は応答信号をリモコン２に送信する。これにより、リモコン２は、応答信号の受信に基づいて、稼働指示信号の送信を直ちに停止する。これにより、リモコン２における稼働指示信号の送信期間を短くすることができる。したがって、リモコン２における消費電力を削減することができる。
【０１１６】
また、レコーダ１は、リモコン２との間で電波通信方式と赤外線通信方式との双方を用いて通信を行うため、リモコン２との通信手段として、電波受信部１１、電波送信部１２および赤外線受信部１３を有している。そして、スタンバイ状態時には、これらの通信手段のうち、電波受信部１１および電波送信部１２に対する電力供給を継続的に停止し、赤外線受信部１３に対する電力供給の実行と停止とを間歇稼働パターンに従って繰り返す。
【０１１７】
このようにスタンバイ状態時には、電波受信部１１および電波送信部１２への電力供給を停止し、赤外線受信部１３だけに電力供給を行うので、電波通信方式と赤外線通信方式との双方を採用しているレコーダ１における消費電力を削減することができる。
【０１１８】
また、リモコン２は、スタンバイ指示信号送信後に状態切り替えスイッチ５が押されたときには、常に赤外線信号を送信する。
【０１１９】
これにより、スタンバイ状態時において、レコーダ１は赤外線受信部１３を稼働して待機していればよい。
【０１２０】
すなわち、レコーダ１の操作性を確保するために、レコーダ１は、スタンバイ状態時においても、少なくとも稼働指示信号だけは受信可能な状態を維持する必要がある。リモコン２から送信される稼働指示信号を常に赤外線信号とすれば、レコーダ１は、スタンバイ状態時において赤外線受信部１３（および受信判断部１４）だけを稼働しておけば、稼働指示信号を受信することが可能な状態を維持することができる。
【０１２１】
したがって、スタンバイ状態時において電波受信部１１および電波送信部１２に対する電力供給を停止することができ、レコーダ１における消費電力を削減することができる。
【０１２２】
なお、上述した説明では、スタンバイ状態時に、レコーダ１の赤外線受信部１３および受信判断部１４に対する電力供給を間歇的に行う場合を例にあげた。しかし、電気機器に関する本発明はこれに限れない。例えば、スタンバイ状態時に、レコーダ１の電波受信部１１、赤外線受信部１３および受信判断部１４に対する電力供給を間歇的に行ってもよい。また、レコーダ１の電波受信部１１および受信判断部１４に対する電力供給を間歇的に行ってもよい。もっとも、スタンバイ状態時には、赤外線受信部１３および電波受信部１１のいずれか一方に対する電力供給を継続的に停止した方が、レコーダ１の消費電力を削減することができる。
【０１２３】
また、上述した説明では、スタンバイ指示信号を電波信号としてリモコン２から送信する場合を例にあげた。しかし、スタンバイ指示信号を赤外線信号として送信してもよい。つまり、リモコン２の状態切り替えスイッチ５に割り当てられた信号はすべて赤外線信号として送信する構成としてもよい。
【０１２４】
また、上述した説明では、操作信号およびスタンバイ指示信号をいずれも電波信号としてリモコン２から送信する場合を例にあげた。しかし、操作信号およびスタンバイ指示信号は常に電波信号として送信しなくてもよい。例えば、操作信号およびスタンバイ指示信号を、電波信号として送信するか赤外線信号として送信するかを自動的にまたは手動により切り替えることができる構成としてもよい。ただし、稼働指示信号は常に赤外線信号として送信する。
【０１２５】
また、上述した説明では、レコーダ１が電波の応答信号を送信する場合を例にあげたが、応答信号は赤外線信号でもよい。応答信号を赤外線信号とする場合には、レコーダ１に赤外線送信部を設け、リモコン２に赤外線受信部を設ける。
【０１２６】
また、上述した説明では、リモコン２の状態切り替えスイッチ５に稼働指示信号とスタンバイ指示信号とを割り当て、状態切り替えスイッチ５が１回押されるごとに、送信する信号を稼働指示信号とスタンバイ指示信号との間で切り替える場合を例にあげた。しかし、本発明はこれに限られない。リモコン２の操作パネルに稼働指示スイッチ、スタンバイ指示スイッチをそれぞれ設け、稼働指示スイッチに稼働指示信号を割り当て、スタンバイ指示スイッチにスタンバイ指示信号を割り当ててもよい。この場合、稼働指示スイッチが押されたときには、リモコン２は赤外線の稼働指示信号を送信し、スタンバイ指示スイッチが押されたときには、リモコン２は電波のスタンバイ指示信号を送信する。さらに、リモコン２の操作パネルに電源オフ指示スイッチを設け、リモコン２を用いた遠隔操作により、レコーダ１を電源オフ状態にすることができるようにしてもよい。この場合、電源オフ指示スイッチが押されたとき、リモコン２は電波の電源オフ指示信号を送信する。
【０１２７】
また、上述した説明では、停止期間Ｐ１がおよそ３秒で稼働期間Ｐ２がおよそ２０ミリ秒の間歇稼働パターンを例にあげたが、間歇稼働パターンはこれに限られない。間歇稼働パターンの停止期間Ｐ１は、消費電力削減の程度と、ユーザがリモコン２を操作してからレコーダ１が通常稼働状態に切り替わるまでの時間（応答性）などを考慮して適切に決めることが望ましい。このような観点から、停止期間Ｐ１は数秒であることが望ましく、およそ２ないし４秒がより望ましい。また、稼働期間Ｐ２は、消費電力削減の程度と、送信中の稼働指示信号を赤外線受信部１３が受信するのに必要な時間とを考慮して適切に決めることが望ましい。このような観点から、稼働期間Ｐ２は、数ミリ秒ないし数十ミリ秒であることが望ましく、およそ５ミリ秒ないしおよそ５０ミリ秒がより望ましい。
【０１２８】
また、上述した説明では、本発明の電気機器の実施形態としてレコーダ１を例にあげたが、本発明の電気機器はこれに限られない。本発明の電気機器は、例えば光ディスクレコーダ、テレビジョン、カーナビゲーションシステム、エアーコンディショナー、照明器などでもよい。
【０１２９】
また、図４中の電波受信部１１は電波受信手段の具体例である。電波送信部１２は送信手段の具体例である。赤外線受信部１３は赤外線受信手段の具体例である。主機能制御部１５は被操作部の具体例である。電力供給制御部１７は電力供給制御手段の具体例である。
【０１３０】
また、図２中の状態切り替えスイッチ５は稼働指示スイッチの具体例である。図８中の電波送信部５１は電波送信手段の具体例である。電波受信部５２は応答信号受信手段の具体例である。赤外線送信部５３は赤外線送信手段の具体例である。送信制御部５４は送信制御手段の具体例である。
【０１３１】
また、本発明は、請求の範囲および明細書全体から読み取るこのできる発明の要旨または思想に反しない範囲で適宜変更可能であり、そのような変更を伴う電気機器および遠隔操作装置もまた本発明の技術思想に含まれる。
【図面の簡単な説明】
【０１３２】
【図１】本発明の電気機器の実施形態であるレコーダと本発明の遠隔操作装置の実施形態であるリモコンを示す斜視図である。
【図２】図１中のリモコンの操作パネルを示す平面図である。
【図３】間歇稼働パターン、稼働指示信号および応答信号を示す説明図である。
【図４】図１中のレコーダの内部構造を示すブロック図である。
【図５】図１中のレコーダに設けられた電力供給制御部の動作を示すフローチャートである。
【図６】図５に続くフローチャートである。
【図７】本発明の電気機器のより具体的な実施形態を示すブロック図である。
【図８】図１中のリモコンの内部構造を示すブロック図である。
【図９】図１中のリモコンに設けられた送信制御部の動作を示すフローチャートである。
【図１０】本発明の遠隔操作装置のより具体的な実施形態を示すブロック図である。
【符号の説明】
【０１３３】
１  レコーダ
２  リモコン
５  状態切り替えスイッチ
６  操作スイッチ
１１  電波受信部
１２  電波送信部
１３  赤外線受信部
１４  受信判断部
１５  主機能制御部
１７  電力供給制御部
１８  電源
５１  電波送信部
５２  電波受信部
５３  赤外線送信部
５４  送信制御部
【図１】
2008028582.tif 000003
【図２】
2008028582.tif 000004
【図３】
2008028582.tif 000005
【図４】
2008028582.tif 000006
【図５】
2008028582.tif 000007
【図６】
2008028582.tif 000008
【図７】
2008028582.tif 000009
【図８】
2008028582.tif 000010
【図９】
2008028582.tif 000011
【図１０】
2008028582.tif 000012